(57)【特許請求の範囲】
【請求項１】
第一スライド部材と；
該第一スライド部材へ滑動可能に連結され、該第一スライド部材に対して引き出しかつ押し戻すことのできる第二スライド部材と；
該第二スライド部材を該第一スライド部材に対して連結及び取りはずしすることを可能にする、該第二スライド部材へ連結されたラッチと；
該第二スライド部材を該第一スライド部材から取りはずすことを可能にしているラッチを移動するための、該第一スライド部材へ連結されたガイドタブと；を具備するスライドにおいて：該ガイドタブは、該第一スライド部材の端部に延伸していて、そして該ラッチを移動するために該第一スライド部材の切欠きを通って移動可能であり、該切欠きは該第一スライド部材の端部に延伸している；
スライド。
【請求項２】
該ガイドタブの少なくとも一部分が、該第一スライド部材の端部を越えて延伸していて、該第一スライド部材の端部から該第一スライド部材が延伸している、請求項１に記載のスライド。
【請求項３】
該第二スライド部材は該第一スライド部材に対して延伸されていて、該ガイドタブが該ラッチをおおって延伸しており、該ガイドタブを押すことにより該ラッチが該第二スライド部材を該第一スライド部材から取りはずすことを可能にしている、請求項１に記載のスライド。
【請求項４】
第一スライド部材と；
該第一スライド部材へ滑動可能に連結され、該第一スライド部材に対して引き出しかつ押し戻すことのできる第二スライド部材と；
該第二スライド部材を該第一スライド部材に対して連結及び取りはずしすることを可能にする、該第二スライド部材へ連結されたラッチと；
該第二スライド部材を該第一スライド部材から取りはずすことを可能にしているラッチを移動するための、該第一スライド部材へ連結されたガイドタブと；を具備するスライドにおいて：
該第二スライド部材が該第一スライド部材に対して延伸される場合、該ガイドタブは該ラッチをおおって延伸し、押しつけられた該ガイドタブは、該第二スライド部材を該第一スライド部材から取りはずすようになっている該ラッチを押し；そして
該第一スライド部材は、細長いウェブと、該ウェブの両側から延伸しているレグとを具備している細長い部材であって、該第一スライド部材の該ウェブと該レグとがチャンネルを形成していて、該ウェブが、該ウェブの端部へ延伸している切欠きを具備しており、該ウェブの端部から第二スライド部材が延伸していて、該ガイドタブは前記切欠きをおおって延伸している；
スライド。
【請求項５】
該第二スライド部材は、細長いウェブと、該ウェブの両側から延伸しているレグとを具備している細長い部材であって、該第二スライド部材の該ウェブと該レグとがチャンネルを形成していて、該第一及び該第二スライド部材が滑動可能に連結される場合、該第一スライド部材の該チャンネルが該第二スライド部材のチャンネルと対面するようになっており、該第二スライド部材が該第一スライド部材に対して完全に延伸した場合、該ラッチの少なくとも一部分は、該第一スライド部材の該ウェブに形成された該切欠きの中に位置するようになっている、請求項４に記載のスライド。
【請求項６】
該ガイドタブがガイドブロックから延伸していて；
該ガイドブロックは：
ウェブ部分と；
該ウェブ部分から横断的に延伸している、離間した二つのレグ部分と；を具備していて；
該ウェブ部分から該ガイドタブが該二つのレグ部分の間に延伸している；請求項５に記載のスライド。
【請求項７】
該切欠きから離間している、該第一スライド部材の該ウェブを貫通して形成された開口部をさらに具備していて；該ガイドブロックの該ウェブ部分が該第一スライド部材を貫通して形成された該開口部に収容されており；該ガイドブロックの各レグ部分が、該第一スライド部材のレグに隣接した該第一スライド部材のチャンネルの中に取りつけられていて；該ガイドタブが該第一スライド部材のチャンネルの外側から該切欠きをおおって延伸している；請求項６に記載のスライド。
【請求項８】
該ガイドブロックのウェブ部分の対向しているエッジが、該第一スライド部材のウェブの対応するエッジに隣接しかつ対面していて、該ガイドブロックのウェブ部分を該開口部に長手方向に保持するための該開口部を形成している、請求項７に記載のスライド。
【請求項９】
該ガイドブロックのレグ部分各々が、該第一スライド部材のレグと該第二スライド部材のレグとの間に配置されている、請求項８に記載のスライド。
【請求項１０】
該第一スライド部材のレグ各々が、該チャンネル内に凹断面を有する凹状内表面を備えていて、該ガイドブロックのレグ部分各々が、凸断面を有する凸状外側表面を備えており、該第一スライド部材のレグ各々の凹状内表面が、該ガイドブロックのレグ部分各々の凸状外側表面を収容している、請求項９に記載のスライド。
【請求項１１】
該第二スライド部材のレグ各々が、凹断面を有する凹状外表面を備えていて、該ガイドブロックのレグ部分各々が、凸断面を有する凸状内側表面を備えており、該第二スライド部材が該第一スライド部材に対して滑動する場合、該凸状内側表面各々が、該第二スライド部材のレグの対応する凹状外表面の中に収容される、請求項１０に記載のスライド。
【請求項１２】
該第二スライド部材のレグ各々が、凹断面を有する凹状外表面を備えていて、該ガイドブロックのレグ部分各々が、凸断面を有する凸状内側表面を備えており、該第二スライド部材が該第一スライド部材に対して滑動する場合、該凸状内側表面各々が、該第二スライド部材のレグの対応する凹状外表面の中に収容される、請求項９に記載のスライド。
【請求項１３】
該ガイドブロックの該ウェブ部分から最も離れた、該ガイドブロックのレグ部分各々の該内側表面の端部が平らである、請求項１２に記載のスライド。
【請求項１４】
該ガイドブロックの該ウェブ部分に近接した、該ガイドブロックのレグ部分各々の該内側表面の端部が平らである、請求項１３に記載のスライド。
【請求項１５】
リップ表面が、該ガイドブロックのレグ部分各々から横断的に延伸している、請求項１４に記載のスライド。
【請求項１６】
ウェブと、該ウェブの両側から横断的に延伸しているレグとを有している玉軸受の保持器をさらに具備していて；
該玉軸受は該保持器のレグ各々により収容されていて、該玉軸受の保持器は該第一スライド部材へ滑動可能に連結されていて、該玉軸受は該第一スライド部材の該凹状内表面に支えられており、該玉軸受の保持器のウェブは該第一スライド部材の該ウェブをおおって滑動するようになっていて、該第二スライド部材が該第一スライド部材に対して滑動するとき、該第二スライド部材のレグの凹状外表面は該玉軸受を収容しており、該玉軸受の保持器のウェブは、該第一スライド部材のウェブに最も近い第一表面と、該第一表面に対向している第二表面とを有している；請求項１５に記載のスライド。
【請求項１７】
ガイドブロックのレグ部分各々の該リップ表面が、該第一スライド部材のウェブから測定した該玉軸受の保持器の第二表面の高さレベルより低くない、該第一スライド部材の該ウェブから測定した高さレベルへ延伸している、請求項１６に記載のスライド。
【請求項１８】
該第一スライド部材のウェブの中央部分が、該第一スライド部材のウェブの外表面に対して押し下げられていて、かつ該第一スライド部材の該チャンネルの中へ突出しており、該ガイドブロックの該ウェブ部分の一部は、該ガイドブロックのウェブ部分の外表面に対して押し下げられている、請求項１７に記載のスライド。
【請求項１９】
リップ表面が、該ガイドブロックのレグ部分各々から横断的に延伸している、請求項７に記載のスライド。
【請求項２０】
ウェブと、該ウェブの両側から横断的に延伸しているレグとを有している玉軸受の保持器をさらに具備していて；
該玉軸受は該保持器のレグ各々により収容されていて、該玉軸受の保持器は該第一スライド部材へ滑動可能に連結されていて、該玉軸受は該第一スライド部材の該凹状内表面に支えられており、該玉軸受の保持器のウェブは該第一スライド部材の該ウェブをおおって滑動するようになっていて、該第二スライド部材が該第一スライド部材に対して滑動するとき、該第二スライド部材のレグの凹状外表面は該玉軸受を収容しており、該玉軸受の保持器のウェブは、該第一スライド部材のウェブに最も近い第一表面と、該第一表面に対向している第二表面とを有している；請求項１９に記載のスライド。
【請求項２１】
ガイドブロックのレグ部分各々の該リップ表面が、該第一スライド部材のウェブから測定した該玉軸受の保持器の第二表面の高さレベルより低くない、該第一スライド部材の該ウェブから測定した高さレベルへ延伸している、請求項２０に記載のスライド。
【請求項２２】
該第一スライド部材のウェブの中央部分が、該第一スライド部材のウェブの外表面に対して押し下げられていて、かつ該第一スライド部材の該チャンネルの中へ突出しており、該ガイドブロックの該ウェブ部分の一部は、該ガイドブロックのウェブ部分の外表面に対して押し下げられている、請求項７に記載のスライド。
【請求項２３】
該ガイドタブが該ガイドブロックに対して曲がっている、請求項６に記載のスライド。
【請求項２４】
第一スライド部材と；
該第一スライド部材へ滑動可能に連結され、該第一スライド部材に対して引き出しかつ押し戻すことのできる第二スライド部材と；
該第二スライド部材を該第一スライド部材に対して連結及び取りはずしすることを可能にする、該第二スライド部材へ連結されたラッチと；
該第二スライド部材を該第一スライド部材から取りはずすことを可能にしているラッチを移動するための、該第一スライド部材へ連結されたガイドタブと；を具備するスライドにおいて：
該ガイドタブがガイドブロックから延伸していて、該ガイドブロックは、ウェブ部分と、該第一スライド部材に連結するための離間した二つのレグ部分とを具備していて、該二つのレグ部分は該ウェブ部分から横断的に延伸しており、該ガイドタブが該ウェブ部分から延伸している；
スライド。
【請求項２５】
該ガイドタブが該二つのレグ部分の間に延伸している請求項２４に記載のスライド。
【請求項２６】
該第一スライド部材が、ウェブ部分と、該ウェブ部分の反対側から延伸している二つのレグ部分とを具備していて、そして該ガイドブロックの該レグ部分は該スライド部材の該レグ部分と係合されている、請求項２４に記載のスライド。
【発明の詳細な説明】
【技術分野】
【０００１】
本発明は、ガイドタブと、ガイドタブを組み込んだスライドとに関するものであって、そのガイドタブはラッチを押すためのものであり、そのラッチは、スライドからスライド部材を係合解除又はスライド部材にスライド部材を係合するためのものである。
【背景技術】
【０００２】
引き出しをキャビネット又は机に滑動可能に連結するために使用されるスライドは、静止部材と少なくとも一つの伸縮部材とである二段以上の部材から構成されている。静止部材は通常キャビネット又は机に取りつけられていて、一方伸縮部材は、キャビネット又は机に滑動可能に連結された引き出しに取りつけられている。二つのスライドが、通常引き出しをキャビネット又は机に連結するために、引き出しの両側に一つづつ使用されている。
【０００３】
三段スライドが中間伸縮部材を有していて、その中間伸縮部材は、軸受保持器に取りつけられた玉軸受により、静止部材と伸縮部材とに係合されていて、引き出しより長い延伸を可能にしている。二段スライドにおいて、伸縮部材は、軸受保持器に取りつけられた玉軸受により、静止部材に連結されている。玉軸受はスライド部材各々に形成された軸受軌道に支えられている。
【０００４】
引き出しをキャビネット又は机から簡単にはずすことを可能にするために、スライドの伸縮部材は、スライドから簡単にはずせるように作られている。通常、スライドから簡単にはずせるようになっているのは、引き出しに取りつけられた伸縮部材である。ロックラッチが通常伸縮部材に取りつけられている。ラッチは伸縮部材へ連結されたスライド部材の端部に係合している。伸縮部材をスライドからはずすために、すなわち引き出しをキャビネット又は机からはずすために、引き出しが引き出されるとき引き出しの両側におけるスライドの伸縮部材各々におけるラッチが押され、伸縮部材をスライドの他の部材から解放する。同様に、伸縮部材をスライドに再連結するために、両方の伸縮部材におけるロックラッチは、伸縮部材がスライドの適切な部材の中に滑動可能にするために、押されなければならない。
【０００５】
伸縮部材をスライドへ再連結するために、人が指でラッチを押える場合、人が指をスライド部材とロックラッチとの間にはさむことはよくあることである。
【発明の開示】
【発明が解決しようとする課題】
【０００６】
本発明は、人が指をはさむことなく伸縮スライド部材を、スライドからはずしあるいはスライドへ再連結することを可能にする、ガイドタブを提供するものである。
【課題を解決するための手段】
【０００７】
発明の要約
ガイドタブと、ガイドタブを組込んだ多段部材とが提供されている。一つのスライド部材へのガイドがスライドへ連結されている。ガイドタブは、作動されるとラッチを作動させ、スライド部材をスライドからはずすことが可能となる。一つの例示の実施態様において、ガイドはスライドの第一スライド部材へ連結されている。第二スライド部材は第一スライド部材へ滑動可能に連結されている。ラッチは、第二スライド部材へ連結されていて、第二スライド部材を、第一スライド部材へ連結あるいは第一スライド部材からはずすことが可能となっている。ガイドタブは作動されるとラッチを作動させ、第二スライド部材を第一スライド部材からはずすことが可能となる。ガイドタブは第一スライド部材の端部を越えて延伸していてもよくて、その端部から第一スライド部材が延伸している。
【０００８】
他の実施態様において、切欠きが第一スライド部材のウェブに形成されている。切欠きはウェブの端部へ延伸していて、かつガイドタブが切欠きをおおって延伸している。第二スライド部材が第一スライド部材に対して完全に延伸される場合、ラッチの少なくとも一部が、第一スライド部材のウェブに形成された切欠きの中に位置決めされる。
【０００９】
さらなる実施態様において、ガイドタブがガイドブロックから延伸していて、そのガイドブロックは、ウェブ部分と、ウェブ部分から横断的に延伸している離間した二つのレグ部分とを有している。ガイドタブは、ガイドブロックの二つのレグ部分の間に延伸している。ガイドブロックのウェブ部分は、第一スライド部材に形成された開口部に収容されている。
【発明を実施するための最良の形態】
【００１０】
新規なガイドタブは、いずれの複数段スライド例えば二段スライド又は三段スライドにも使用することができる。複数段スライドにおいて、ガイドタブは第一スライド部材へ連結されていて、第二スライド部材は、第一スライド部材へ再連結あるいは第一スライド部材から取りはずすことができる。説明の目的のために、本発明は、ガイドタブを備えた三段スライドに関して説明していて、そのタブは、三段スライドの中間部材へ連結されている。
【００１１】
典型的な三段スライド１０は、内部伸縮部材１２を備えていて、その内部伸縮部材１２は、外部静止部材１６へ滑動可能に連結されている中間伸縮部材１４へ滑動可能に連結されている（図１及び２）。外部部材は、チャンネル形状断面であって、ウェブ２０と、ウェブの対向端部から横断的に延伸している二つのレグ２２とを有しているチャンネル１８を形成している。内部軸受軌道２６は各レグ２２に形成されている。中間スライド部材１４も、ほぼチャンネル形状断面であって、外部部材１６の内部に滑動可能に連結されている。
【００１２】
断面において、中間部材も、ウェブ２８と、ウェブの対向端部から延伸している二つのレグ３０とを備えている。各レグが内部軌道３２と外部軌道３４とを形成している。中間部材のウェブ２８の中央部分が長手方向凹部３５を形成していてもよい。中間部材は、外部部材の中に滑動可能に連結されていて、それらの“チャンネル”が同一方向に向いている。玉軸受３６が、外部部材の内部軸受軌道２６と、中間部材の外部軸受軌道３４との間にはさまれている。玉軸受は、通常外部玉軸受保持器３７へ連結されている。
【００１３】
内部部材もチャンネル形断面であって、ウェブ３８と、ウェブの対向端部から延伸している二つのレグ４０とを有している。くぼみが各レグの外表面に形成されていて、外部軸受軌道４２を形成している。内部部材は、中間部材へ滑動可能に連結されていて、内部部材のチャンネルが中間部材のチャンネルと対面している。すなわち、内部部材のレグが、内部部材のウェブ３８から中間部材のウェブ２８へ向けて延伸している。玉軸受４４は、内部部材の外部軸受軌道４２と、中間部材の内部軸受軌道３２との間にはさまれている。玉軸受は、通常内部玉軸受保持器４５へ連結されている。各スライド部材は、通常単一ピースの材料で作られている。
【００１４】
ロックラッチ機構が、中間部材と内部スライド部材とに形成されていて、内部スライドを、中間スライド部材からはずすことができ、かつ中間スライド部材へ再連結することができるようになっている。例示の実施態様におけるロックラッチ機構が、ロックラッチ９９と切欠き６０とを含んでいて、そのロックラッチ９９は内部部材から延伸していて、その切欠き６０は、中間部材ウェブ２８と、その端部とに形成されていて、中間部材の端部６１へ延伸していて、その端部６１から内部部材が延伸している。二セットのランスタブが切欠きの側面に沿って形成されている。第一セットのランスタブが二つのタブ６２を備えていて、その二つのタブ６２は、お互いに対向して配置され、かつ切欠きの対向エッジから内部スライド部材へ向けて延伸している。第二セットのランスタブが二つのランスタブ６４を備えていて、その二つのランスタブ６４は、お互いに対向して配置され、かつ切欠きの対向エッジから内部スライド部材へ向けて延伸している。第二セットのランスタブは、中間部材の端部における切欠きの端部６１に配置されていて、かつ第一セットの二つのタブ間の距離より広い間隔で離間している。すなわち第二セットの二つのタブ６４の間の間隔６６は第一セットの二つのタブ６２の間の間隔６８より広くなっている。第一セットのランスタブは、中間部材の端部６１から最も離れていて、その端部６１から内部部材が延伸している。
【００１５】
例えば図４Ａ，４Ｂ，４Ｃ及び４Ｄに示めすガイドブロック７０が、中間部材における端部６１近傍の軌道の中へ挿入されていて、図３Ａ及び３Ｂに示めすようにその端部６１から内部部材が延伸している。ガイドブロックが、二つの離間したレグ７２と、その間に形成されたウェブ７４とを備えていて、各レグは、ウェブから長手方向と横断方向との両方向へ延伸するようになっている。例示の実施態様において、ガイドブロックのウェブ７４が、中間部材２８に対し相補的な断面であって、かつ凹部７６も形成していて、その凹部７６は中間スライド部材のウェブ２８に形成された凹部３５に対し相補的である。開口部７８が、中間部材のウェブ２８を横断的に横切って形成されていて、ガイドブロックのウェブ７４を収容するようになっている（図１）。図４Ｄに示めすように、ガイドブロックのウェブ７４は、ガイドブロックのレグ７２の下方に延在している。この点に関して、ウェブ７４が開口部７８に収容されてもよいし、一方レグ７２が中間部材のチャンネルに収容されてもよい。
【００１６】
ガイドブロックの各レグの外表面は、外側部分８０と内側部分８３とを備えている。ガイドブロックの各レグ７２の外表面における外側部分８０は、中間部材の内部軸受軌道３２と相補的になっている。各レグの外側部分８０と対向している各レグの外表面における内側部分８３の第一区画８２は、内部部材の外部軸受軌道４２と相補的になっている。図３Ｂに示めす例示の実施態様において、各レグの外表面における内側部分の相補的な区画８２は、ガイドブロックウェブ７４から最も離れたレグの端部８５までは延伸していない。外表面内側部分における比較的平らな第二区画８７が、第一区画８２から各レグ７２の端部へ延伸している。別の実施態様において、各レグの外表面における内側部分の、相補的な第一区画８２がレグの全長にまたがっている。
【００１７】
リップ８４が、ガイドブロックの各レグ７２から内向きに延伸している。各リップの表面８６は、ガイドブロックのレグの方向に向いていて、ガイドブロックのウェブ７４の第一表面７５にほぼ平行である。
【００１８】
ガイドタブ８８が、ガイドブロック７４からガイドブロックのレグ７２の方向に延伸している。ガイドタブ８８は、ガイドブロックのウェブにおける、第一表面７５に対向している第二表面９０から延伸している（図４Ｃ）。タブの幅は、中間部材のウェブに形成された切欠き６０に合うようになっている。図３Ｂ，４Ａ及び４Ｂに示めす例示の実施態様において、タブは第一区画９２と第二区画９４との二つの区画から構成されていて、その第一区画９２はウェブ７４から延伸していて、かつ第一セットランスタブ間の間隔６８より狭い幅であって、さらに第二区画９４は、第一区画から延伸していて、第一区画の幅より広い幅であり、かつ第二セットランスタブ間の間隔６６より狭い幅である。
【００１９】
例示の実施態様において、ガイドブロックはガイドタブと一体的に形成されている。図４Ａ，４Ｂ，４Ｃ及び４Ｄに示めす、例示の実施態様における、ガイドタブと一体になったガイドブロックは、プラスチックで作られているので、ガイドタブは弾力性がある。例えば、ガイドタブ付きガイドブロックはＡＢＳプラスチック又は成形アセタール（ｍｏｌｄｅｄ  ａｃｅｔａｌ）で作られていてもよい。この点に関して、ガイドタブは、押された場合曲がり、もどされた場合初期位置へ復元する。代わりに、ガイドタブ付きガイドブロックは、必要とされるフレキシビリテーと弾力性とを備えたタブを提供する他の材料で作られてもよい。
【００２０】
図３Ａ，３Ｂ及び５に示めすように、ガイドブロックは、中間部材の端部に取りつけられていて、ブロックのレグの外側表面部分８０が、中間部材の内部軸受軌道により収容されていて、一方ガイドブロックのウェブは中間部材のウェブの開口部７８に収容されており、さらにガイドタブ８８は中間部材のウェブと切欠き６０とをおおって延伸している。ガイドブロックが中間部材内部の所定位置にある場合、ガイドタブの第一区画９２は第一セットランスタブの間に位置していて、一方タブの第二区画９４は第二セットランスタブの間に位置している。この点に関連して、ガイドタブは、切欠き６０内部の中で押し込むことができ、第一セットランスタブと第二セットランスタブとの間に押し込むことができる。ガイドブロックのリップ部分表面８６が、中間部材に取りつけられる場合、中間部材のウェブ上方のレベルは、軸受保持器４５区画のレベル８７に等しいか又は高くなっている（図２）。
【００２１】
ガイドタブ付きガイドブロックを中間部材に取りつけるために、タブの先端１１５は、中間部材のくぼんだウェブ部分に形成された開口部７８の中へ位置決めされている。ガイドブロックは、ガイドタブが開口部７８を通って内部部材に対向している中間部材のウェブ２８の表面を通過するような位置に押し込まれる。
【００２２】
スロット９８が、ガイドブロックの各レグの外表面における内側部分の第二区画８７と、第二セットランス６４との間に形成されている。これらのスロットは、内部部材を外部部材へ再連結する際、内部部材のレグをガイドするようになっている。
【００２３】
ロックラッチ９９（以下ラッチと呼ぶ）を形成しているスプリングタブが内部部材１２のレグ４０におけるウェブ３８に取りつけられている。図７Ｃに示めす例示のラッチは、内部部材のウェブに取りつけられる第一部分１００を有している。第二部分１０２は、内部部材から一定の角度で延伸している。第二部分が、ネック部分１０６へ向けて狭くなっているボデー部分１０４を備えていて、そのネック部分１０４は、ヘッド部分１０８へ向けて広がっている。ネック部分はボデー部分とヘッド部分との幅に沿ってほぼ中央にある。ヘッド部分の先端部１１０は、内部部材のウェブへ向けて曲げられており、スロット１１２はウェブを貫通して形成されていて、ラッチが内部部材のウェブに対して押し込まれる場合曲げられた先端部分が収容されるようになっていて、図８Ａに示めす。別の例示の実施態様において、ラッチの先端部１１１は、内部部材のウェブへ向けて曲げられる必要はなくて、すなわち、先端部が図８Ｂに示めすように平らであってもよい。そのような場合、スロット１１２は、内部部材のウェブを貫通している必要はない。
【００２４】
内部部材を中間部材へ連結するために、内部部材のレグ部分４０が、スロット９８の中に滑動されていて、そのスロット９８は、ガイドブロックのレグにおける外表面の内側部分の第二区画と、第二セットランスタブとの間に形成されている。内部部材のレグが中間部材へ向けてさらに押し込まれると、内部部材のレグにおける外表面に形成された外部軸受軌道４２が、ガイドブロックのレグにおける外表面の内側部分の第一区画をおおって移動し、従って内部部材を中間部材へ連結する。同時に、内部部材のレグのエッジ１１６が、それらの対応するリップ表面８６をおおって移動する。内部部材が、中間部材へ向かう方向にさらに移動するとき、内部部材のレグは、ガイドブロックのレグの内側表面とリップ表面８６とに沿って滑動しつづけ、そして軸受保持器４５へガイドされる。というのはガイドブロックのレグのリップ部分は、中間部材のウェブに対して保持器区画１１４のレベルより高いレベルに延伸していて、リップ部分は、内部部材のレグが軸受保持器４５の端部エッジに衝突することを防止している。
【００２５】
内部部材がさらに押し込まれると、ラッチボデーは、第一セットランスタブ６２により係合され、そしてネック部分が第一セットランスタブの間に移動するで内部スライド部材へ向けて押しつけられる。ラッチが内部部材のウェブへ向けて押される場合、ばね力が発生され、ラッチを内部部材のウェブから遠ざけるようにする。ばね力は、ラッチを中間部材へ向けて延伸させ、かつネック部分が第一セットランスタブの間の位置へ移動する場合、ネック部分１０６を第一セットランスタブの間へ当接するようにしている。内部スライドが中間スライド部材へ向けてさらに滑動される場合、第一セットランスがラッチのヘッド部分のエッジ１１８に係合していて、そのエッジ１１８はネック部分の背後に延伸しており、内部スライドが中間部材へ向けてさらに滑動することを防止している。内部スライドを中間部材へ向けてさらに移動することを可能にするために、ラッチのヘッド部分は、ガイドタブ８８に対して押すことにより、押しつけられており、そのガイドタブ８８がラッチのヘッド部分を押しており、従ってネック部分が、内部部材のウェブへ向かって移動し、第一セットランスタブから引きぬかれ内部スライド部材が中間部材へ向けてさらに移動することを可能にしている。
【００２６】
内部スライド部材が中間部材に対して延伸するので、ラッチのヘッド部分の曲がった先端部分１１０は第一セットランスタブに係合し、ラッチが内部部材のウェブへ向けて曲がり、ばね力を発生するようになっている。内部部材の延伸がさらに続くと、ラッチが発生されたばね力により延伸するので、第一セットランスタブは、ヘッドを通過しラッチのネック部分へ当接するまで、ラッチのヘッドに沿って上昇する。内部部材がさらに延伸すると、第一セットランスタブが、ラッチのボデー部分にネックと隣接して形成されたエッジ１２０に係合し、内部部材がさらに延伸することを防止している。さらなる延伸を可能にするために、ラッチヘッドは、ガイドタブ８８に対して押すことにより、内部部材のウェブへ向けて押され、従って第一セットランスタブからラッチのネック部分がはずれるようになっていて、ラッチが第一セットランスタブを通過することが可能になっている。従って内部部材は、中間部材からはずれるまで、中間部材に対してさらに延伸することが可能である。
【００２７】
内部部材を、中間部材へ連結あるいは中間部材からはずす際に、指で、ラッチではなくガイドタブを押すことにより、人が指を中間部材と内部部材との間にはさむことはない。というのは、タブが、指を内部部材と中間部材との間におけるインターフェースから隔てているからである。
【００２８】
例示の実施態様において、ガイドタブの弾力性は、ラッチへ移動するために押された後における初期位置への復元を可能にしている。一方別の実施態様において、ガイドタブは弾性がない。すなわちガイドタブは弾性のない材料で作られている。この場合、ガイドタブは、圧縮あるいは押さえつけられたラッチにより発生されるばね力により、初期位置へ復元される。
【００２９】
さらなる別の例示の実施態様において、ガイドタブは、図３Ｂにおける点線１２４で示めすように、中間部材の端部６１を越えて延伸するべく作られていてもよくて、その端部６１から内部部材が延伸する。さらに別の実施態様において、ガイドタブはガイドブロックと独立であってもよい。この場合、図６に示めすようにガイドタブ１８８は、公知ないずれの方法で中間部材１４のウェブに取りつけられていてもよい。
【００３０】
本発明におけるガイドタブは、例示のラッチ装置を用いて説明されてきた。しかしながら、本発明におけるガイドタブには、他のタイプのラッチ機構が使用されてもよくて、そのラッチ機構は一方のスライド部材を他方にロックするために使用されるものであって、図７Ａ−７Ｅにそれぞれ例として示めす機構２００，２０２，２０４，２０６及び２０８のようなものである。
【００３１】
本発明は、複数の実施態様に関して説明されてきたが、これらに限定されるものではなくて、変更及び修正は、本発明における特許請求の範囲にすべて包含されることを意図しているものであることが理解されるべきである。
【図面の簡単な説明】
【００３２】
【図１】図１は、本発明における例示の実施態様のガイドタブを組込んだスライドの斜視図である。
【図２】図２は、図１におけるスライドの矢印２−２から見た断面図である。
【図３Ａ】図３Ａは、例示の実施態様のガイドタブを組込んだ中間部材の端面図である。
【図３Ｂ】図３Ｂは、例示の実施態様のガイドタブを組込んだ中間部材の下面図である。
【図４Ａ】図４Ａは、例示の実施態様のガイドタブを組み込んだガイドブロックの斜視図である。
【図４Ｂ】図４Ｂは、例示の実施態様のガイドタブを組み込んだガイドブロックの平面図である。
【図４Ｃ】図４Ｃは、例示の実施態様のガイドタブを組み込んだガイドブロックの端面図である。
【図４Ｄ】図４Ｄは、例示の実施態様のガイドタブを組み込んだガイドブロックの側面図である。
【図５】図５は、図１に示めすスライドの端面図である。
【図６】図６は、本発明における別の例示の実施態様のガイドタブを組み込んだスライドの中間部材の斜視図である。
【図７Ａ】図７Ａは、本発明におけるガイドタブにより作動することのできるラッチ機構−１を示めす斜視図である。
【図７Ｂ】図７Ｂは、本発明におけるガイドタブにより作動することのできるラッチ機構−２を示めす斜視図である。
【図７Ｃ】図７Ｃは、本発明におけるガイドタブにより作動することのできるラッチ機構−３を示めす斜視図である。
【図７Ｄ】図７Ｄは、本発明におけるガイドタブにより作動することのできるラッチ機構−４を示めす斜視図である。
【図７Ｅ】図７Ｅは、本発明におけるガイドタブにより作動することのできるラッチ機構−５を示めす斜視図である。
【図８Ａ】図８Ａは、ベントチップを有するロックラッチの斜視図である。
【図８Ｂ】図８Ｂは、フラットチップを有するロックラッチの斜視図である。
【図１】
0004426291.tif 000002
【図２】
0004426291.tif 000003
【図３Ａ】
0004426291.tif 000004
【図３Ｂ】
0004426291.tif 000005
【図４Ａ】
0004426291.tif 000006
【図４Ｂ】
0004426291.tif 000007
【図４Ｃ】
0004426291.tif 000008
【図４Ｄ】
0004426291.tif 000009
【図５】
0004426291.tif 000010
【図６】
0004426291.tif 000011
【図７Ａ】
0004426291.tif 000012
【図７Ｂ】
0004426291.tif 000013
【図７Ｃ】
0004426291.tif 000014
【図７Ｄ】
0004426291.tif 000015
【図７Ｅ】
0004426291.tif 000016
【図８Ａ】
0004426291.tif 000017
【図８Ｂ】
0004426291.tif 000018